(57)【要約】【課題】ユーザの視認性に基づいて表示形態を変更する。【解決手段】表示装置は、表示部（２００）におけるユーザの目視位置を検出する第１検出部（１３０）と、表示部に表示される表示情報の表示形態を変更するためのトリガ情報を検出する第２検出部（１４０）と、第２検出部がトリガ情報を検出したときにのみ、目視位置に基づいて表示形態を変更する制御部（１５０）とを備える。これにより、ユーザの視認性を考慮した表示形態の変更が行える。【選択図】図１
2018031822.tif 000002
【特許請求の範囲】
【請求項１】
表示部におけるユーザの目視位置を検出する第１検出部と、
前記表示部に表示される表示情報の表示形態を変更するためのトリガ情報を検出する第２検出部と、
前記第２検出部が前記トリガ情報を検出したときにのみ、前記目視位置に基づいて前記表示形態を変更する制御部と
を備えることを特徴とする表示装置。
【請求項２】
前記制御部は、前記表示部に表示される一又は複数の前記表示情報のうち、前記目視位置に応じた前記表示情報の前記表示形態を変更することを特徴とする請求項１に記載の表示情報。
【請求項３】
前記表示情報の各々には、前記目視位置を検出する検出領域が関連付けられており、
前記制御部は、前記目視位置が存在している前記検出領域に関連付いた前記表示情報の前記表示形態を変更する
ことを特徴とする請求項２に記載の表示装置。
【請求項４】
前記制御部は、前記目視位置が前記領域に所定時間存在したときに前記トリガ情報の受付を開始することを特徴とする請求項３に記載の表示装置。
【請求項５】
前記トリガ情報は、前記ユーザの音声であり、
前記音声を取得する取得部を更に備える
ことを特徴とする請求項１から４のいずれか一項に記載の表示装置。
【請求項６】
前記トリガ情報は、前記ユーザの眉間の皺から判断される前記ユーザの注視度であり、
前記表示装置は、前記注視度を取得する取得部を更に備える
ことを特徴とする請求項１から４のいずれか一項に記載の表示装置。
【請求項７】
前記表示情報は画像であり、
前記制御部は、前記第１検出部が前記目視位置を検出している一方で、前記第２検出部が前記トリガ情報を検出していない場合には、前記目視位置を含む前記検出領域に対応する前記画像の輝度、透過度及び縁の色のうち少なくとも一つを変更する
ことを特徴とする請求項１から６いずれかに記載の表示装置。
【請求項８】
前記表示情報は複数の表示情報であり、前記複数の表示情報にはそれぞれ優先度又は前記複数の表示情報間の関連度が付与されており、
前記制御部は、一の前記表示情報の前記表示形態を変更することで、他の前記表示情報の少なくとも一部が表示できなくなる場合に、前記他の表示情報のうち、前記優先度又は前記一の表示情報との前記関連度がより高い表示情報を前記表示部に優先的に表示させる
ことを特徴とする請求項１から７いずれかに記載の表示装置。
【請求項９】
表示部におけるユーザの目視位置を検出する第１検出工程と、
前記表示部に表示される表示情報の表示形態を変更するためのトリガ情報を検出する第２検出工程と、
前記第２検出工程で前記トリガ情報を検出したときにのみ、前記目視位置に基づいて前記表示形態を変更する制御工程と
を備えることを特徴とする表示方法。
【請求項１０】
表示部におけるユーザの目視位置を検出する第１検出工程と、
前記表示部に表示される表示情報の表示形態を変更するためのトリガ情報を検出する第２検出工程と、
前記第２検出工程で前記トリガ情報を検出したときにのみ、前記目視位置に基づいて前記表示形態を変更する制御工程と
をコンピュータに実行させることを特徴とするコンピュータプログラム。
【請求項１１】
請求項１０に記載のコンピュータプログラムが記録されていることを特徴とする記録媒体。
【発明の詳細な説明】
【技術分野】
【０００１】
本発明は、例えばユーザの視線を検出して表示形態を変更する表示装置及び方法、並びにコンピュータプログラム及び記録媒体の技術分野に関する。
【背景技術】
【０００２】
ディスプレイの高精細化が進み、１つの画面に多くの情報を表示することが可能になっているが、小型ディスプレイにおいては解像度よりもサイズによる視認性の低下が問題となっている。一方で、例えば医療現場等では、手を触れることなく装置の操作を行うことが要求される。このため特許文献１では、ユーザの視線位置を検出して、視線の滞在時間に基づいた強調表示を行うという技術が提案されている、また特許文献２では、ユーザの視線位置を検出して、ユーザが見ている場所の近くを拡大表示するという技術が提案されている。
【先行技術文献】
【特許文献】
【０００３】
【特許文献１】特開２０１０−２３７８８４号公報
【特許文献２】特開２０１５−９７１２３号公報
【発明の概要】
【発明が解決しようとする課題】
【０００４】
視認性は人によって基準が異なり、ある人は「見づらい」と感じるサイズであっても、別の人は「見やすい」と感じることがある。このため、ユーザが画像の一部を見続けているからといって、ユーザが表示形態の変更を望んでいるとは言い切れない。よって、特許文献１及び２に記載されている技術のように、単にユーザの視線に基づいて強調表示や拡大表示を行っていたのでは、ユーザが求める要求を満たすことができないおそれがある。
【０００５】
本発明が解決しようとする課題には、上記のようなものが一例として挙げられる。本発明は、ユーザの視認性に基づいて表示形態を変更可能な表示装置及び方法、並びにコンピュータプログラム及び記録媒体を提供することを課題とする。
【課題を解決するための手段】
【０００６】
上記課題を解決するための表示装置は、表示部におけるユーザの目視位置を検出する第１検出部と、前記表示部に表示される表示情報の表示形態を変更するためのトリガ情報を検出する第２検出部と、前記第２検出部が前記トリガ情報を検出したときにのみ、前記目視位置に基づいて前記表示形態を変更する制御部とを備える。
【０００７】
上記課題を解決するための表示方法は、表示部におけるユーザの目視位置を検出する第１検出工程と、前記表示部に表示される表示情報の表示形態を変更するためのトリガ情報を検出する第２検出工程と、前記第２検出工程で前記トリガ情報を検出したときにのみ、前記目視位置に基づいて前記表示形態を変更する制御工程とを備える。
【０００８】
上記課題を解決するためのコンピュータプログラムは、表示部におけるユーザの目視位置を検出する第１検出工程と、前記表示部に表示される表示情報の表示形態を変更するためのトリガ情報を検出する第２検出工程と、前記第２検出工程で前記トリガ情報を検出したときにのみ、前記目視位置に基づいて前記表示形態を変更する制御工程とをコンピュータに実行させる。
【０００９】
上記課題を解決するための記録媒体は、上述したコンピュータプログラムが記録されている。
【図面の簡単な説明】
【００１０】
【図１】第１実施例に係る表示装置の構成を示すブロック図である。
【図２】第１実施例に係る表示装置による表示が行われる複数の表示領域を示す平面図である。
【図３】表示領域に対する視線検出領域の設定例を示す概念図である。
【図４】第１実施例に係る表示装置の動作の流れを示すフローチャートである。
【図５】第１実施例に係る表示装置による表示形態の変更方法を示す概念図である。
【図６】医療システムにおける表示形態の変更方法の一例を示す概念図である。
【図７】拡大対象領域を徐々に大きくする例を示す概念図である。
【図８】拡大対象領域を一瞬で大きくする例を示す概念図である。
【図９】拡大対象領域を、注視領域を中心にして徐々に大きくする例を示す概念図である。
【図１０】第２実施例に係る表示装置の動作の流れを示すフローチャートである。
【発明を実施するための形態】
【００１１】
＜１＞
本実施形態に係る表示装置は、表示部におけるユーザの目視位置を検出する第１検出部と、前記表示部に表示される表示情報の表示形態を変更するためのトリガ情報を検出する第２検出部と、前記第２検出部が前記トリガ情報を検出したときにのみ、前記目視位置に基づいて前記表示形態を変更する制御部とを備える。
【００１２】
本実施形態に係る表示装置によれば、その動作時には、第１検出部によって表示部におけるユーザの目視位置が検出される。即ち、ユーザが表示部のどの部分を見ているかが検出される。一方、第２検出部では、表示部に表示される表示情報の表示形態を変更するためのトリガ情報が検出される。「トリガ情報」とは、ユーザが表示部における表示形態の変更を望んでいる状態であることを判定するための情報であり、ユーザから意図して発せられる情報の他、ユーザの状態から検出できる情報等の様々な情報を利用することができる。
【００１３】
本実施形態では特に、第２検出部がトリガ情報を検出したときにのみ、制御部によって目視位置に基づく表示形態の変更が行われる。言い換れば、第２検出部がトリガ情報を検出していないときには、目視位置に基づく表示形態の変更は行われない。なお、「表示形態の変更」とは、表示情報の視認性を高めるような変更であり、例えば目視位置に存在する表示情報の強調表示や拡大表示等の制御として実行される。
【００１４】
ここで仮に、トリガ情報が検出されているか否かによらずに、目視位置に基づく表示形態の変更が行われるとすると、ユーザが表示形態の変更を望んでいないにもかかわらず、表示形態が変更されてしまうおそれがある。例えば、ユーザが表示部を単に見ているだけで、拡大表示等が行われてしまう可能性がある。このような制御は、ユーザの意図に反したものであり、適切な制御とは言えない。
【００１５】
しかるに本実施形態では、上述したようにトリガ情報が検出されている場合にのみ、目視位置に基づく表示形態の変更が行われる。従って、目視位置に基づく表示形態の変更は、ユーザが表示形態の変更を望んでいる場合にのみ実行される。言い換えれば、ユーザにとって表示情報の視認性が悪いと判断できる場合にのみ、表示部の表示形態が変更される。
【００１６】
以上の結果、本実施形態に係る表示装置によれば、ユーザの視認性に基づいて、表示部における表示形態を好適に変更することが可能である。
【００１７】
＜２＞
本実施形態に係る表示装置の一態様では、前記制御部は、前記表示部に表示される一又は複数の前記表示情報のうち、前記目視位置に応じた前記表示情報の前記表示形態を変更する。
【００１８】
この態様によれば、表示部に表示される一又は複数の表示情報のうち、ユーザが実際に目視している情報の表示形態を変更することが可能である。
【００１９】
＜３＞
上述した一の表示情報の表示形態を変更する態様では、前記表示情報の各々には、前記目視位置を検出する検出領域が関連付けられており、前記制御部は、前記目視位置が存在している前記検出領域に関連付いた前記表示情報の前記表示形態を変更してもよい。
【００２０】
この場合、表示情報と検出領域とを予め互いに関連付けておくことで、目視位置に基づいた表示形態の変更を好適に行うことができる。なお、表示情報が表示される領域と、検出領域とは必ずしも一致しなくてよい。
【００２１】
＜４＞
上述した目視位置が存在している検出領域に関連付いた表示情報の表示形態を変更する態様では、前記制御部は、前記目視位置が前記検出領域に所定時間存在したときに前記トリガ情報の受付を開始してもよい。
【００２２】
ユーザの視線が検出領域に存在した時間が比較的短い場合、ユーザが表示形態の変更を望んでいる可能性は低いと判断できる。よって、ユーザの視線が検出領域に存在した時間が所定時間となってからトリガ情報の受付を開始するようにすれば、トリガ情報が誤ったものとして検出されてしまうことを回避できる。即ち、ユーザに表示形態を変更する意図がないにもかかわらず、トリガ情報が検出されてしまうことを防止できる。
【００２３】
なお、ここでの「所定時間」とは、ユーザが表示形態の変更を望んでいる可能性が高い状態であると判断するための閾値であり、予め理論的、実験的あるいは経験的に適切な値が求められ設定されている。
【００２４】
＜５＞
本実施形態に係る表示装置の他の態様では、前記トリガ情報は、前記ユーザの音声であり、前記音声を取得する取得部を更に備える。
【００２５】
この態様によれば、ユーザが発する音声をトリガ情報として、表示形態の変更を行うことができる。
【００２６】
＜６＞
本実施形態に係る表示装置の他の態様では、前記トリガ情報は、前記ユーザの眉間の皺から判断される前記ユーザの注視度であり、前記表示装置は、前記注視度を取得する取得部を更に備える。
【００２７】
この態様によれば、ユーザの眉間の皺から判断される注視度をトリガ情報として、表示形態の変更を行うことができる。
【００２８】
＜７＞
本実施形態に係る表示装置の他の態様では、前記表示情報は画像であり、前記制御部は、前記第１検出部が前記目視位置を検出している一方で、前記第２検出部が前記トリガ情報を検出していない場合には、前記目視位置を含む前記検出領域に対応する前記画像の輝度、透過度及び縁の色のうち少なくとも一つを変更する。
【００２９】
この態様によれば、トリガ情報が検出されていない場合であっても、目視位置を含む検出領域に対応する画像の輝度、透過度及び縁の色のうち少なくとも一つが変更される。このような変更によれば、ユーザは、表示部のどの領域が目視位置を含む領域であるかを確認できる。この場合ユーザは、例えばどの領域が表示形態を変更する対象になっているかを知ることが可能となる。
【００３０】
＜８＞
本実施形態に係る表示装置の他の態様では、前記表示情報は複数の表示情報であり、前記複数の表示情報にはそれぞれ優先度又は前記複数の表示情報間の関連度が付与されており、前記制御部は、一の前記表示情報の前記表示形態を変更することで、他の前記表示情報の少なくとも一部が表示できなくなる場合に、前記他の表示情報のうち、前記優先度又は前記一の表示情報との前記関連度がより高い表示情報を前記表示部に優先的に表示させる。
【００３１】
この態様によれば、一の表示情報の表示形態が変更されることで、他の表示情報の少なくとも一部が表示できなくなる場合には、予め付与された優先度又は位置の表示情報との関連度がより高いものが優先的に表示部に表示される。
【００３２】
なお、ここでの「優先度」とは、他の情報よりも優先して表示し続けるべき情報であるほど高く設定される値である。また「関連度」とは、表示形態が変更される表示情報と併せて表示し続けるべき情報であるほど高く設定される値である。
【００３３】
優先度と関連度を利用すれば、表示形態の変更時において表示し続けるべき情報と、表示しなくてもよい情報とを的確に判断して、表示し続けるべき情報を優先して表示させることができる。これにより、表示形態の変更によって、表示し続けるべき情報が表示されなくなってしまうことを防止できる。
【００３４】
＜９＞
本実施形態に係る表示方法は、表示部におけるユーザの目視位置を検出する第１検出工程と、前記表示部に表示される表示情報の表示形態を変更するためのトリガ情報を検出する第２検出工程と、前記第２検出工程で前記トリガ情報を検出したときにのみ、前記目視位置に基づいて前記表示形態を変更する制御工程とを備える。
【００３５】
本実施形態に係る表示方法によれば、上述した本実施形態に係る表示装置と同様に、ユーザの視認性に基づいて、表示部における表示形態を好適に変更することが可能である。  なお、本実施形態に係る表示方法においても、上述した本実施形態に係る表示装置における各種態様と同様の各種態様を採ることが可能である。
【００３６】
＜１０＞
本実施形態に係るコンピュータプログラムは、表示部におけるユーザの目視位置を検出する第１検出工程と、前記表示部に表示される表示情報の表示形態を変更するためのトリガ情報を検出する第２検出工程と、前記第２検出工程で前記トリガ情報を検出したときにのみ、前記目視位置に基づいて前記表示形態を変更する制御工程とをコンピュータに実行させる。
【００３７】
本実施形態に係るコンピュータプログラムによれば、上述した本実施形態に係る表示方法と同様の処理をコンピュータに実行させることができるため、ユーザの視認性に基づいて、表示部における表示形態を好適に変更することが可能である。
【００３８】
なお、本実施形態に係るコンピュータプログラムにおいても、上述した本実施形態に係る表示装置における各種態様と同様の各種態様を採ることが可能である。
【００３９】
＜１１＞
本実施形態に係る記録媒体は、上述したコンピュータプログラムが記録されている。
【００４０】
本実施形態に係る記録媒体によれば、上述したコンピュータプログラムをコンピュータにより実行させることにより、ユーザの視認性に基づいて、表示部における表示形態を好適に変更することが可能である。
【００４１】
本実施形態に係る表示装置及び方法、並びにコンピュータプログラム及び記録媒体の作用及び他の利得については、以下に示す実施例において、より詳細に説明する。
【実施例】
【００４２】
以下では、表示装置及び方法、並びにコンピュータプログラム及び記録媒体の実施例について、図面を参照しながら詳細に説明する。以下では、第１実施例及び第２実施例の２つ実施例について説明する。
【００４３】
＜第１実施例＞
第１実施例に係る表示装置について、図１から図６を参照して説明する。
【００４４】
（装置構成）
先ず、第１実施例に係る表示装置の構成について、図１を参照して説明する。図１は、第１実施例に係る表示装置の構成を示すブロック図である。
【００４５】
図１に示すように、本実施例に係る表示装置は、表示位置記憶部１１０と、視線検出部１２０と、目視位置検出部１３０と、視認性検出部１４０と、表示形態変更部１５０と、表示部２００とを備えて構成されている。
【００４６】
表示位置記憶部１１０は、表示部に表示される複数の情報の表示位置をそれぞれ記憶可能に構成されている。表示位置記憶部１１０に記憶された表示位置に関する情報は、適宜目視位置検出部１３０に出力される構成となっている。
【００４７】
視線検出部１２０は、例えばユーザの顔周辺の画像を撮像可能なカメラ等を含んで構成されており、ユーザの視線を検出することが可能に構成されている。視線検出部１２０で検出されたユーザの視線に関する情報は、目視位置検出部１３０に出力される構成となっている。
【００４８】
目視位置検出部１３０は、表示位置記憶部１１０から入力された表示位置に関する情報、及び視線検出部１２０から入力されたユーザの視線に関する情報に基づいて、表示部２００におけるユーザの目視位置を検出する。目視位位置検出部１３０は、ユーザの目視位置の存在時間が所定時間以上であるか否かを判定可能に構成されてもよい。目視位置検出部で検出された目視位置に関する情報は、表示形態変更部１５０に出力される構成となっている。なお、目視位置検出部１３０は、「第１検出部」の一具体例である。
【００４９】
視認性検出部１４０は、例えばマイクロフォンを含んで構成されており、ユーザが発した音声に基づいて、ユーザが視認性を高めるために表示部２００の表示形態を変更することを望んでいるか否かを判定する。具体的は、視認性検出部１４０は、表示形態を変更するためのキーワードを予め記憶しており、キーワードの発話が検出された場合に、ユーザに表示形態を変更する意図があると判定する。視認性検出部１４０は、ユーザに表示形態を変更する意図があると判断した場合、その旨を示すトリガ情報を表示形態変更部１５０に出力するように構成されている。また、視認性検出部１４０は、表示形態の変更を解除するためのキーワードを記憶しており、ユーザが表示形態の変更を解除することを望んでいる旨を示す情報を、表示形態変更部１５０に出力するように構成されてもよい。視認性検出部１４０は、「第２検出部」の一具体例である。
【００５０】
表示形態変更部１５０は、視認性検出部１４０からトリガ情報が入力されていることを条件として、目視位置検出部１３０から入力された目視位置に関する情報に基づいて、表示部２００の表示形態を変更可能に構成されている。即ち、表示形態変更部１５０は、トリガ情報が入力されている場合に目視位置に基づく表示形態の変更を実施する一方で、トリガ情報が入力されていない場合には目視位置に基づく表示形態の変更を実施しない。表示形態変更部１５０による表示形態の具体的な変更方法については後に詳述する。表示形態変更部１５０は、「制御部」の一具体例である。
【００５１】
表示部２００は、例えば液晶ディスプレイ等を含んで構成されており、各種情報を画像として表示可能に構成されている。
【００５２】
（情報表示領域及び視線検出領域）
次に、表示部２００に設定される情報表示領域及び視線検出領域について、図２及び図３を参照して説明する。図２は、第１実施例に係る表示装置による表示が行われる複数の表示領域を示す平面図である。また図３は、示領域に対する視線検出領域の設定例を示す概念図である。
【００５３】
図２に示すように、表示部２００には複数の情報表示領域（Ａ〜Ｈ）が設定されている。なお、これらの情報表示領域は、表示する情報の種類によって、その大きさや数、位置等が変動するものであってもよい。
【００５４】
図３に示すように、複数の情報表示領域の各々には、ユーザの目視位置を検出するための視線検出領域が設定されている。目視位置検出部１３０は、ユーザの目視位置が視線検出領域内に存在する場合に、視線検出領域に対応する情報表示領域をユーザが目視していると判断する。
【００５５】
情報表示領域と視線検出領域とは、完全一致するように設定されていてもよいし、情報表示領域の方が大きく、又は視線検出領域の方が大きくなるように設定されていてもよい。あるいは、ある程度のオフセットを有するように設定されてもよい。
【００５６】
（動作説明）
次に、第１実施例に係る表示装置の動作について、図４を参照して説明する。図４は、第１実施例に係る表示装置の動作の流れを示すフローチャートである。
【００５７】
図４において、第１実施例に係る表示装置において情報が表示されている際には、視線検出部１２０が、ユーザの視線（例えば、視線の方向等）を検出する（ステップＳ１０１）。
【００５８】
ユーザの視線が検出されると、目視位置検出部１３０は、表示位置記憶部１１０から入力された表示位置に関する情報、及び視線検出部１２０から入力されたユーザの視線に関する情報に基づいて、表示部２００におけるユーザの目視位置を検出する。そして、ユーザの目視位置が視線検出領域（図３参照）内にあるか否かを判定する（ステップＳ１０２）。なお、ユーザの目視位置が視線検出領域内にない場合には（ステップＳ１０２：ＮＯ）、通常表示のまま（ステップＳ１０８）、一連の表示は終了する。この場合、表示装置は、所定期間経過後にステップＳ１０１の処理を再び開始するようにしてもよい。
【００５９】
一方で、ユーザの目視位置が視線検出領域内にある場合には（ステップＳ１０２：ＹＥＳ）、表示形態変更部１５０が、ユーザの目視位置に対応する情報表示領域を強調表示する（ステップＳ１０３）。表示形態変更部１５０は、例えば情報表示領域の輝度、透過度、縁の色等を変更する。
【００６０】
続いて、視認性検出部１４０が、ユーザの視認性を判断するために音声認識を開始する（ステップＳ１０４）。即ち、トリガ情報の検出が開始される。なお、トリガ情報の検出は、目視位置が視線検出領域内にあると判断されてから所定時間以上経過してから開始されてもよい。
【００６１】
視認性検出部１４０が、表示部２００における表示形態を拡大表示とするための拡大キーワードを検出すると（ステップＳ１０５：ＹＥＳ）、表示形態変更部１５０は、ユーザの目視位置に対応する情報表示領域を拡大表示する（ステップＳ１０６）。なお、拡大キーワードが検出されない場合（ステップＳ１０５：ＮＯ）、強調表示のまま一連の処理が終了する。この場合、表示装置は、所定期間経過後にステップＳ１０１の処理を再び開始するようにしてもよい。
【００６２】
表示部２００において拡大表示が行われると、視認性検出部１４０は、拡大表示を解除する（即ち、通常表示に戻す）ための音声認識を開始する。視認性検出部１４０が、表示部２００における表示形態を通常表示に戻すための解除キーワードを検出すると（ステップＳ１０７：ＹＥＳ）、表示形態変更部１５０は、ユーザの目視位置に対応する情報表示領域の拡大表示を解除して通常表示に変更する（ステップＳ１０８）。なお、解除キーワードが検出されない場合には（ステップＳ１０７：ＮＯ）、拡大表示が維持される。
【００６３】
（表示形態変更の具体例）
次に、上述した表示形態を変更する場合の具体例について、図５及び図６を参照して説明する。図５は、第１実施例に係る表示装置による表示形態の変更方法を示す概念図である。図６は、医療システムにおける表示形態の変更方法の一例を示す概念図である。
【００６４】
図５に示すように、例えばユーザが情報表示領域Ａを目視している場合、ユーザの目視位置が検出されると、情報表示領域Ａの縁が強調表示される。これにより、ユーザは、目視位置として情報表示領域Ａが装置側に認識されていることを知る。
【００６５】
続いて、ユーザが拡大キーワードを発話すると、目視位置が存在している情報表示領域Ａの情報が拡大表示される。この際、情報表示領域Ｂ、Ｄ及びＧの情報は表示されなくなってしまうが、情報表示領域Ｅ、Ｆ及びＨの情報は表示され続ける。
【００６６】
なお、情報表示領域Ａの情報が拡大されることによって表示されなくなる情報領域は、各情報表示領域に設定された優先度、又は情報表示領域Ａの情報との関連度によって決定されてもよい。例えば、情報表示領域Ｂの優先度が情報表示領域Ｅよりも高いものとして設定されていた場合、図５の例で示す情報表示領域Ｅの部分に、情報表示領域Ｂの情報が表示されてもよい。同様に、例えば情報表示領域Ｄの情報と情報表示領域Ａの情報との関連度が、情報表示領域Ｆの情報と情報表示領域Ａの情報との関連度よりも高いものとして設定されていた場合、図５の例で示す情報表示領域Ｆの部分に、情報表示領域Ｄの情報が表示されてもよい。
【００６７】
図６に示す例では、医療システムに適用された表示装置において、患者の頭部の断面画像であるＴ１画像が拡大表示されている。拡大表示では、Ｔ１画像が画面一杯に拡大されているため、通常表示で表示されていた他の情報については表示されていない。ただし、常時表示されていることが好ましいＢＩＳ（Bispectral Index）値については、優先度が高く設定されているため、拡大表示後も表示され続けている。
【００６８】
このように、優先度が所定値よりも高い情報については、他の情報が拡大表示される場合であっても、空きスペースに優先的に表示され続けるようにしてもよい。
【００６９】
次に、拡大の具体的な態様について、図７から図９を参照してより具体的に説明する。図７は、拡大対象領域を徐々に大きくする例を示す概念図である。図８は、拡大対象領域を一瞬で大きくする例を示す概念図である。図９は、拡大対象領域を、注視領域を中心にして徐々に大きくする例を示す概念図である。
【００７０】
図７に示すように、情報表示領域を表示する際には、拡大の前後でユーザがどこを見ていたか戸惑わないように、ユーザが注視している領域を含む情報表示領域（以下、適宜「拡大対象領域」と称する）を徐々に拡大させることが好ましい。
【００７１】
図７では、画面左下の拡大対象領域が、画面中心に移動しながら徐々に拡大されている。このような拡大態様によれば、注視領域が少しずつ画面右上方向に移動することになるので、ユーザは注視領域を見失うことなく（言い換えれば、注視領域を注視し続けたまま）拡大を行うことができる。
【００７２】
一方で、図８に示すように、拡大対象領域を一瞬で拡大させてしまうと、注視領域が急に移動するので、ユーザは画像のどの部分を見ていたのか分からなくなってしまうおそれがある。図７で示した拡大態様は、このような不都合を好適に回避することができる。
【００７３】
図９に示すように、注視領域を中心にして拡大対象領域が徐々に拡大されるようにしてもよい。この場合、拡大対象領域の大きさは変化するものの、注視領域の位置はほとんど変化しない。このため、ユーザが注視領域を見失うことを回避しつつ、好適に拡大対象領域を拡大できる。
【００７４】
（効果の説明）
次に、第１実施例に係る表示装置によって得られる技術的効果について詳細に説明する。
【００７５】
図１から図６で説明したように、第１実施例に係る表示装置によれば、ユーザの目視位置だけでなく、キーワードの認識によってユーザが視認性の向上を求めているか否かを判断して、表示の拡大を行っている。このため、ユーザが拡大を望んでいないにもかかわらず、目視位置だけに基づいて拡大表示されてしまうことを防止できる。よって、第１実施例に係る表示装置によれば、ユーザの意図を正確に反映した的確な表示が行える。
【００７６】
＜第２実施例＞
第２実施例に係る表示装置について、図１０を参照して説明する。なお、第２実施例は上述した第１実施例と比べて一部の構成及び動作が異なるのみで、その他の部分については概ね同様である。このため、以下では第１実施例と異なる部分についてのみ詳細に説明し、重複する部分については適宜説明を省略するものとする。
【００７７】
（装置構成）
第２実施例に係る表示装置の構成は、図１に示した第１実施例に係る表示装置と同様である。ただし、第２実施例に係る表示装置では、視認性検出部１４０が、ユーザの顔周辺の画像を撮像するカメラを含むものとして構成されている。なお、このカメラは、視線検出部１２０のカメラと共通のものであってもよい。
【００７８】
第２実施例に係る視認性検出部１４０は、ユーザの表情（特に、眉間の皺）によって、ユーザの視認性を判断することが可能に構成されている。具体的には、ユーザが見ている画像の視認性が悪い場合、ユーザは自然と眉間に皺を寄せるような表情となる場合が多い。このため、ユーザの眉間の皺の有無を検出できれば、視認性の悪さを好適に判断することができる。なお、眉間の皺に代えて、瞳孔反応や瞼の開き具合の変化等を利用するようにしてもよい。
【００７９】
（動作説明）
次に、第２実施例に係る表示装置の動作について、図１０を参照して説明する。図１０は、第２実施例に係る表示装置の動作の流れを示すフローチャートである。
【００８０】
図１０において、第２実施例に係る表示装置において情報が表示されている際には、視線検出部１２０が、ユーザの視線を検出する（ステップＳ２０１）。
【００８１】
ユーザの視線が検出されると、目視位置検出部１３０は、表示位置記憶部１１０から入力された表示位置に関する情報、及び視線検出部１２０から入力されたユーザの視線に関する情報に基づいて、表示部２００におけるユーザの目視位置を検出する。そして、ユーザの目視位置が視線検出領域内にあるか否かを判定する（ステップＳ２０２）。なお、ユーザの目視位置が視線検出領域内にない場合には（ステップＳ２０２：ＮＯ）、通常表示のまま（ステップＳ２０６）、一連の表示は終了する。この場合、表示装置は、所定期間経過後にステップＳ２０１の処理を再び開始するようにしてもよい。
【００８２】
一方で、ユーザの目視位置が視線検出領域内にある場合には（ステップＳ２０２：ＹＥＳ）、
視認性検出部１４０が、ユーザの視認性を判断するために、ユーザの表情検出を開始する（ステップＳ２０３）。なお、第２実施例では、第１実施例のような強調表示を行う処理は実行されない。即ち、目視位置を検出した場合の強調処理は省略されても構わない。
【００８３】
視認性検出部１４０が、ユーザの眉間の皺を検出すると（ステップＳ２０４：ＹＥＳ）、表示形態変更部１５０は、ユーザの目視位置に対応する情報表示領域を拡大表示する（ステップＳ２０５）。なお、ユーザの眉間の皺を検出されない場合（ステップＳ２０４：ＮＯ）、通常表示のまま（ステップＳ２０６）一連の表示は終了する。
【００８４】
（効果の説明）
最後に、第２実施例に係る表示装置によって得られる技術的効果について詳細に説明する。
【００８５】
図１０で説明したように、第２実施例に係る表示装置によれば、ユーザの目視位置だけでなく、ユーザの表情に基づいて表示の拡大を行っている。ここで特に、ユーザの眉間の皺はユーザが意図的に作ったものではなく、視認性の悪さによって自然に発生したものである。このため、第２実施例では、ユーザが意図して拡大表示を要求することなく、情報の拡大表示が自動的に行われる。即ち、第１実施例のように、ユーザにキーワードの発話等の特別な動作は求められない。このように、第２実施例に係る表示装置によれば、ユーザの意図を装置側で適切に判断した上で的確な表示を行うことができる。
【００８６】
本発明は、上述した実施形態に限られるものではなく、特許請求の範囲及び明細書全体から読み取れる発明の要旨或いは思想に反しない範囲で適宜変更可能であり、そのような変更を伴う表示装置及び方法、並びにコンピュータプログラム及び記録媒体もまた本発明の技術的範囲に含まれるものである。
【符号の説明】
【００８７】
１１０  表示位置記憶部
１２０  視線検出部
１３０  目視位置検出部
１４０  視認性検出部
１５０  表示形態変更部
２００  表示部
【図１】
2018031822.tif 000003
【図２】
2018031822.tif 000004
【図３】
2018031822.tif 000005
【図４】
2018031822.tif 000006
【図５】
2018031822.tif 000007
【図６】
2018031822.tif 000008
【図７】
2018031822.tif 000009
【図８】
2018031822.tif 000010
【図９】
2018031822.tif 000011
【図１０】
2018031822.tif 000012